(57)【要約】【課題】スキャナや複合機等が単独で動作している状況で画像読取の途中でメモリ不足となった場合に、メモリ不足を解消することができる画像読取システムを提供する。【解決手段】画像読取装置２のスキャン部２４において画像を読み取って記憶部２２に記憶する操作を実行中に、記憶部２２において記憶容量不足が発生したら、コンピュータ３を画像読取装置２にインターフェース２７、３３を介して接続して、コンピュータ３の記憶部３２、あるいは外部記憶部３６に読み取った画像を記憶することによって記憶容量不足を解消する。【選択図】図１
2010147547.tif 000002
【特許請求の範囲】
【請求項１】
画像読取装置と、その画像読取装置と必要な場合のみ接続されて記憶部を備えた外部装置とを備えた画像読取システムであって、
前記画像読取装置は、
原稿から画像を読み取る画像読取部と、
その画像読取部によって読み取られた画像を記憶する第１記憶部と、
前記外部装置との接続のための接続部と、
その接続部が前記外部装置と接続されていない状態で、前記画像読取部により画像が読み取られている途中で、前記第１記憶部において記憶容量の不足が発生したら、前記画像読取部による画像の読取りを中断して記憶容量の不足を報知する報知部と、
前記報知部が記憶容量の不足を報知した状態において、前記接続部が前記外部装置と接続されたことを検出する検出部と、
前記検出部が前記接続部と前記外部装置との接続を検出した状態で、前記画像読取部による画像の読取の再開を指令する指令手段と、
を備え、
前記外部装置の記憶部を第２記憶部として、
前記外部装置は、前記指令手段による指令で前記画像読取部によって読み取られた画像である再開後読取画像を、前記第２記憶部に記憶する記憶制御手段を備えたことを特徴とする画像読取システム。
【請求項２】
前記画像読取装置の前記接続部に前記外部装置を接続させる接続方法として複数の方式が用意され、その複数の接続方式の内から実際に使用する接続方式を選択する選択入力を受け付けるための入力部を備えた請求項１に記載の画像読取システム。
【請求項３】
前記記憶制御手段は、前記再開後読取画像を記憶するために確保される記憶領域の記憶容量を、前記第２記憶部における記憶容量の使用状況に応じて決定する容量決定手段を備えた請求項１又は２に記載の画像読取システム。
【請求項４】
前記第２記憶部は、前記外部装置の外部に装備された記憶装置を含む請求項１乃至３のいずれか１項に記載の画像読取システム。
【請求項５】
前記再開後読取画像を前記記憶制御手段によって前記第２記憶部に記憶する場合に、前記画像読取装置は、前記第１記憶部が前記第２記憶部の記憶容量の分だけ増設されたのと同様に認識して、前記第２記憶部に画像を記憶させる請求項１乃至４のいずれか１項に記載の画像読取システム。
【請求項６】
前記外部装置が複数配置され、前記記憶制御手段は、前記再開後読取画像を個々の前記第２記憶部に分割して記憶させる請求項１乃至５のいずれか１項に記載の画像読取システム。
【請求項７】
前記外部装置はコンピュータである請求項１乃至６のいずれか１項に記載の画像読取システム。
【発明の詳細な説明】
【技術分野】
【０００１】
本発明は、画像読取システムに関する。
【背景技術】
【０００２】
スキャナーや複合機などの画像処理装置では画像を読み取って指定の宛先に送信する Scan to Email送信や、FAX送信(I-FAX送信)などの技術が採用されている。しかし、これらの送信処理は外部にコンピューターを必要とせず、画像処理装置内にある記憶領域のみを使用して行われる。しかし安価な画像処理装置では画像処理装置内に存在する記憶領域のサイズも小さく、高解像度の画像を複数読み込んだ場合には記憶領域不足となり読み込みが中断されてしまうことがある。場合によってはそれまでに読み込んだ画像情報はすべて破棄され、再度原稿を最初から読み直す必要がある。
【０００３】
従来よりこうした問題点を解消するための提案がある。例えば下記特許文献１では、スキャナで画像読み取り中にスキャナのメモリ残量が不足したとき、接続されているコンピュータのメモリをバッファとして使用し、読み取りデータをコンピュータのメモリに送信する技術が開示されている。
【０００４】
また下記特許文献２に開示された技術では、ホストPCから印刷装置に印刷要求を投げたときに印刷用のメモリが不足した場合、印刷用のメモリ内にある優先度の低い印刷データをホストPCのメモリおよび２次記憶装置に退避させることによって印刷装置内のメモリの空き領域を確保し、そのメモリを使用して要求された印刷を実行する。目的の印刷が終了して再度メモリに空き領域が発生したときには、ホストPCのメモリに退避された印刷データを再度印刷装置のメモリ上に呼び戻すこととなっている。
【０００５】
また下記特許文献３では、プリンタ側で確保しておくべきデータの一部について、データの優先順位に従ってホストコンピュータのメモリに退避しておき、必要となったときにプリンタ側に戻す。データを戻した後に確保したホスト側のメモリを解放するかどうかはプリンタ側が判断し、不要であれば解放する。
【０００６】
特許文献４では、ファクシミリ装置が受け取った音声データまたは電子メールのデータを、ファクシミリ装置側の記憶手段あるいは外部情報処理装置側の記憶装置の格納できる技術が提案されている。同文献では、記憶可能残量を検知する手段を持ち、ファクシミリ装置側の記憶可能残量が少ないときまたはなくなったときはその旨を表示し、ファクシミリ装置側のデータの一部あるいは全部を外部情報処理装置側に格納する。
【０００７】
【特許文献１】特開２００２−７７５０１号公報
【特許文献２】特許第３４９５８６５号公報
【特許文献３】特許第３７１１６０９号公報
【特許文献４】特許第３１１６７８８号公報
【発明の開示】
【発明が解決しようとする課題】
【０００８】
しかし上記各文献の技術にはいくつかの問題点が指摘できる。特許文献１においては、スキャナーのメモリ残量が不足したとき、接続されているコンピューターのメモリをバッファと使用する画像処理装置について書かれているが、この処理装置はホストコンピュータに接続された状態で発生した記憶領域不足の対応が書かれているのみであり、画像処理装置が単独で動作しているときに発生した記憶領域不足については対応がされていない。
【０００９】
特許文献２、３においては印刷装置に関する記憶領域不足の解消が課題とされているが、これらはともに印刷指示を出すホストコンピューターが存在する状況下での印刷処理装置が対象となっている。ホストコンピューターが存在しないスキャナや複合機等の画像処理装置の場合にも画像読み込みの際のメモリ不足の問題が発生するが、それは両文献では対象外となっている。
【００１０】
特許文献４も外部情報記憶装置を使用することにより記憶領域不足を回避する装置について書かれているが、対象はファクシミリ装置であり、保存対象は音声データ、受信した電子メールのデータとなっている。したがって画像読取の途中でメモリ不足となった場合には対応できない。
【００１１】
そこで本発明が解決しようとする課題は、上記問題点に鑑み、スキャナや複合機等が単独で動作している状況で画像読取の途中でメモリ不足となった場合に、メモリ不足を解消することができる画像読取システムを提供することにある。
【課題を解決するための手段及び発明の効果】
【００１２】
上記課題を達成するために、本発明に係る画像読取システムは、画像読取装置と、その画像読取装置と必要な場合のみ接続されて記憶部を備えた外部装置とを備えた画像読取システムであって、前記画像読取装置は、原稿から画像を読み取る画像読取部と、その画像読取部によって読み取られた画像を記憶する第１記憶部と、前記外部装置との接続のための接続部と、その接続部が前記外部装置と接続されていない状態で、前記画像読取部により画像が読み取られている途中で、前記第１記憶部において記憶容量の不足が発生したら、前記画像読取部による画像の読取りを中断して記憶容量の不足を報知する報知部と、前記報知部が記憶容量の不足を報知した状態において、前記接続部が前記外部装置と接続されたことを検出する検出部と、前記検出部が前記接続部と前記外部装置との接続を検出した状態で、前記画像読取部による画像の読取の再開を指令する指令手段と、を備え、前記外部装置の記憶部を第２記憶部として、前記外部装置は、前記指令手段による指令で前記画像読取部によって読み取られた画像である再開後読取画像を、前記第２記憶部に記憶する記憶制御手段を備えたことを特徴とする。
【００１３】
これにより本発明に係る画像読取システムでは、画像読取の途中にメモリ不足が発生した後に外部装置を接続してメモリ不足の問題を解消している。そのためメモリ不足発生以前に外部装置を準備しておく必要がなく、メモリ不足が発生したときのみ外部装置を接続して問題を解決することができるので、メモリ不足解消の方法として利便性が高い。
【００１４】
また前記画像読取装置の前記接続部に前記外部装置を接続させる接続方法として複数の方式が用意され、その複数の接続方式の内から実際に使用する接続方式を選択する選択入力を受け付けるための入力部を備えたとしてもよい。
【００１５】
これにより接続方法を選択可能にすることにより、ＵＳＢ接続、シリアル接続、ネットワーク接続等、多様な接続方法によって接続された外部装置を使用してメモリ不足の問題を解決することが可能となる。
【００１６】
また前記記憶制御手段は、前記再開後読取画像を記憶するために確保される記憶領域の記憶容量を、前記第２記憶部における記憶容量の使用状況に応じて決定する容量決定手段を備えたとしてもよい。
【００１７】
これにより接続を行った外部装置側が任意の情報記憶領域を割り当てることを可能としている。そのため、メモリ不足を回避するために割り当てる情報記憶領域のサイズをメモリ不足が発生した時点で決定することが可能となり、メモリ不足が発生した時点での外部装置側でのメモリの使用状況や設備の状態により、与える記憶領域量を柔軟に決定することが可能となる。
【００１８】
また前記第２記憶部は、前記外部装置の外部に装備された記憶装置を含むとしてもよい。
【００１９】
これにより外部装置の外部記憶部も画像処理装置で読み取った画像の記憶のために割り当てることを可能としている。これにより外部装置自体が備えるメモリよりも多くの記憶領域を画像処理装置で読み取った画像の記憶のために割り当てることが可能となるので、大きな記憶容量が必要とされる画像にも対応できる。
【００２０】
また前記再開後読取画像を前記記憶制御手段によって前記第２記憶部に記憶する場合に、前記画像読取装置は、前記第１記憶部が前記第２記憶部の記憶容量の分だけ増設されたのと同様に認識して、前記第２記憶部に画像を記憶させるとしてもよい。
【００２１】
これにより外部装置から割り当てられた記憶領域は、本来画像読取装置が持つ記憶領域と区別なく使用可能としている。これにより画像読取装置側は記憶領域がどちらのものか全く意識することなく、記憶領域拡張前と全く同じ手順で読み取り処理を実行することが可能となる。
【００２２】
また前記外部装置が複数配置され、前記記憶制御手段は、前記再開後読取画像を個々の前記第２記憶部に分割して記憶させるとしてもよい。
【００２３】
これにより１台の外部装置からだけでなく複数の外部装置からの接続を許可し、複数の外部装置からの記憶領域の提供を可能としている。これにより、メモリ不足時にある外部装置から提供した記憶領域が不足していても、さらに別の外部装置からも記憶領域の提供が可能となるため、不足している記憶領域のサイズが想定できない場合でも対応が可能となる。
【００２４】
また前記外部装置はコンピュータであるとしてもよい。
【００２５】
これによりメモリ不足が発生したときに任意の外部コンピュータからの接続を受け付けることを可能としている。そのため、当該画像処理装置のためにあらかじめ準備されたコンピュータではなく、任意のコンピュータを新規に準備してメモリ不足の問題を解消することが可能である。さらに、コンピュータが元来備えているＣＰＵ等の情報処理機能を利用して記憶領域の割り当て処理を実行すればよいので、新たに情報処理機能を装備する必要がない。
【発明を実施するための最良の形態】
【００２６】
以下、本発明の実施形態を図面を参照しつつ説明する。まず図１は、本発明の一実施形態における画像読取システム１の構成図である。
【００２７】
図１に示されているように、画像読取システム１は画像読取装置２（画像処理装置）とコンピュータ３とを備える。画像読取装置２はＣＰＵ２１、記憶部２２、操作パネル２３、スキャン部２４、表示部２５、エラー通知部２６、インターフェース２７を備え、以上の各部がバスによって接続されて情報の受け渡しが可能となっている。
【００２８】
ＣＰＵ２１では画像読取の指令などの各種指令や情報処理を行う。記憶部２２はＣＰＵ２１の作業領域として機能し、各種情報を記憶する。操作パネル２３は画像の読取開始などのユーザによる指令入力を含む入力を受け付ける。スキャン部２４は原稿などから画像を読み取る。スキャン部２４で読み取られた画像は記憶部２２に送られて記憶される。
【００２９】
表示部２５は液晶ディスプレイ（ＬＣＤ）などからなり、ユーザに向けて必要な情報の表示を行う。エラー通知部２６はユーザに向けて画像読取装置２内で発生した各種エラーの表示を行う。エラー通知部２６は例えばブザー、発光ダイオード（ＬＥＤ）、ＬＣＤ等でよい。インターフェース２７は外部機器との接続のために配置されている。特に本発明では後述するようにコンピュータ３との接続のために使用される。なお記憶部２２は画像読取装置２が所有する記憶装置であればよく、メモリ（ＲＡＭ）以外にもメモリカードやＨＤＤなどの外部記憶装置であってもよい。
【００３０】
コンピュータ３はＣＰＵ３１、記憶部３２、インターフェース３３、表示部３４、入力部３５を備え、各部がバスによって接続されて情報の受け渡しがなされる。ＣＰＵ３１では画像読取の指令などの各種指令や情報処理を行い、記憶部３２はＣＰＵ３１の作業領域として機能し、各種情報を記憶する。インターフェース３３は外部機器との接続のために配置されている。特に本発明では後述するように画像読取装置２との接続のために使用される。
【００３１】
表示部３４はユーザに向けての情報を表示し、入力部３５はユーザからの入力を受け付ける。さらにコンピュータ３には外部記憶部３６が接続されているとしてもよい。外部記憶部３６は、コンピュータ３に外付けで使用できる記憶部であればよく、例えば外付けハードディスクやメモリカードが用いられる。
【００３２】
画像読取装置２とコンピュータ３の接続は、例えばＵＳＢ接続やシリアル接続でもよい。また画像読取装置２とコンピュータ３とが通信網（例えばイーサネット（登録商標））を介してネットワーク接続されるとしてもよい。
【００３３】
以上の構成のもとで本実施形態では、画像読取装置２で画像の読取中にメモリ不足が生じた場合にコンピュータ３を接続してメモリ不足を解消する処理を行う。その処理手順が図２、３、４に示されている。図２は画像読取装置２側の処理手順、図３はコンピュータ３側の処理手順、図４は図２の一部の手順の詳細を示すフローチャートである。
【００３４】
図２、図４の処理手順はプログラム化されて例えば記憶部２２（あるいは画像読取装置の図示されていない他の記憶部（ＲＯＭ））に記憶されており、ＣＰＵ２１がそのプログラムを実行することによって自動的に処理されるとすればよい。また図３の処理手順はプログラム化されて例えば記憶部３２（あるいはコンピュータ３の図示されていない他の記憶部）に記憶されており、ＣＰＵ３１がそのプログラムを実行することによって自動的に処理されるとすればよい。
【００３５】
まず以下で図２を説明する。図２では、スキャン部２４によって画像の読取を実行し（Ｓ１０）、記憶部２２におけるメモリ不足の発生を検出した（Ｓ２０）場合の処理手順がＳ３０以降に示されている。メモリ不足の発生を検出した時点では画像読取装置２とコンピュータ３とは接続されていないとする。なおＳ２０の手順においては、ＣＰＵ２１が記憶部２２の空き容量を検出する機能を有することにより、メモリ不足の発生が検出されるとすればよい。Ｓ２０の手順とＣＰＵ２１とが記憶容量不足検出手段を構成する。
【００３６】
次にＳ３０ではメモリ不足が発生し、読取処理が継続できないことを報知する。この報知は例えばエラー通知部２６でブザーによる音声、ＬＥＤの発光、ＬＣＤでの文字表示など、あるいはこれらの組合せによって報知すればよい。これによりユーザはメモリ不足の発生を知ることができる。なおＳ２０あるいはＳ３０の処理では、画像の読取りを中断する処理も実行する。
【００３７】
次にＳ４０では読取を継続するか否かをユーザに質問する画面を表示する。これは例えば表示部２５にその旨を文字表示すればよい。次にＳ５０で継続を指令する入力がユーザにより入力されたか否かを判断する。継続を指令する入力が入力された場合（Ｓ５０：ＹＥＳ）はＳ６０へ進み、継続を指令する入力が入力されない場合（Ｓ５０：ＹＥＳ）は図２の処理を終了する。この入力はユーザが操作パネル２３を用いて行えばよい。
【００３８】
Ｓ６０では画像読取装置２とコンピュータ３との間の接続方法を選択する。上述のとおり接続方法は、ＵＳＢ接続、シリアル接続、ネットワーク接続等、複数用意しておいてもよいので、ユーザはそのなかから所望の接続方法を選択する。その際、全ての選択肢を表示部２５に表示し、ユーザは操作パネル２３を用いてそのなかから選択する入力を行えばよい。
【００３９】
Ｓ７０ではコンピュータ３からの接続を待つ状態となる。ユーザがコンピュータ３のインターフェース３３を画像読取装置２のインターフェース２７に接続する（後述のＳ１５０）と、Ｓ７５でＣＰＵ２１はそれを検出する。Ｓ７５の手順とＣＰＵ２１が検出部を構成する。次にＳ８０で画像読取継続処理を実行する。この手順の詳細は図４に示されており後述する。画像読取処理が終了したら、次にＳ９０で画像読取装置２とコンピュータ３との間の接続を切断する。以上が図２の処理である。
【００４０】
次に図３を説明する。図３の処理は、図２のＳ３０での表示によってメモリ不足の発生を知ったユーザがコンピュータ３に処理の開始を入力部３５を用いて指令することによって開始されるとすればよい。
【００４１】
図３の処理ではまずＳ１００（容量決定手段）で、画像の記憶のために割り当てる記憶領域のサイズを決定する。このサイズはコンピュータ３自身が決定してもユーザーが入力してもよい。コンピュータ３自身が決定する場合、コンピュータ３におけるその時点でのメモリの使用状況に応じて画像の記憶のために割り当てる記憶領域のサイズを決定するとすればよい。ユーザが入力する場合は入力部３５を用いて入力すればよい。
【００４２】
割り当てる記憶領域サイズを決定すると、次にＳ１１０でコンピュータ３のＣＰＵ３１は画像処理装置が使用可能な記憶領域を確保する。記憶領域を確保する場所は、コンピュータ３が保有する記憶部３２や、コンピュータ３に接続されている外部記憶部３６でよい。ここで外部記憶部３６としては上述のとおりＨＤＤやメモリカードなど、コンピュータ３に接続可能な各種記憶装置が使用できる。
【００４３】
記憶領域の確保ができたら、次にＳ１２０で画像処理装置との接続方法を決定する。接続方法は画像処理装置が可能な通信方法と同じものが使用可能であり、上述のような複数の方法から選択が可能であれば表示部３４に全ての選択肢を表示し、入力部３５でユーザに選択させるとしてもよい。
【００４４】
次にＳ１３０で接続先を指定する入力が必要かどうかを判断する。接続先を指定する入力が必要な場合とは、例えば接続先が複数ある場合である。接続先を指定する入力が必要な場合（Ｓ１３０：ＹＥＳ）はＳ１４０へ進み、不必要な場合（Ｓ１３０：ＮＯ）はＳ１５０へ進む。
【００４５】
Ｓ１４０では接続先を入力部３５によりユーザが指定する。次にＳ１５０で画像処理装置２にインタフェース２７、３３を通じて接続を行う。なお、記憶領域の確保と接続のタイミングは逆になっても構わない。接続の後に記憶領域を確保する場合には、コンピュータ３が画像読取装置２から必要な残りの記憶容量の情報を取得するとすればよい。
【００４６】
Ｓ１５０で画像読取装置２との接続が実行され接続が完了すると、画像読取装置２からコンピュータ３の記憶部３２、あるいは外部記憶部３６に対してアクセスすることが可能になる。これによりＳ１６０でコンピュータ３は記憶部３２、あるいは外部記憶部３６の記憶領域を画像読取装置２に貸与する。貸与される記憶領域はＳ１１０で確保された領域である。さらに記憶領域の貸与の際に、画像読取装置２から見て記憶部２２と記憶部３２及び外部記憶部３６とが区別されないように、別の表現では記憶部３２のうち割り当てられた分の記憶容量が記憶部２２に増設されたのと同様に認識できるようにＣＰＵ３１が制御するとしてもよい。
【００４７】
Ｓ１６０での処理により記憶領域不足が回避できることとなる。これを受けて画像読取装置２は上述のＳ８０で画像の読取を再開し、記憶部３２、外部記憶部３６においてＳ１１０で確保された記憶領域に再開後に読み込まれた画像を記憶していく。Ｓ１６０の手順とＣＰＵ３１とが記憶制御手段を構成する。
【００４８】
画像の読取りが終了したら、Ｓ１７０で画像処理装置２との接続の切断を待つ。画像読取装置２がＳ９０で接続を切断したら、コンピュータ３はＳ１８０で記憶領域を開放して処理を終了する。以上が図３の処理手順である。
【００４９】
次に図４を説明する。図４は、図２のＳ８０における処理の詳細を示すフローチャートである。
【００５０】
図４の処理ではまずＳ８１０で、画像処理装置２がコンピュータ３からの接続を受け付けると、画像処理装置２が使用する情報記憶領域を拡張する。つまり、記憶部２２だけでなく、コンピュータ３が上述のＳ１１０で割り当てた記憶部３２や外部記憶部３６の記憶領域も画像処理装置２が保有する記憶部２２と同様にアクセスができるようにする。
【００５１】
次にＳ８２０で画像処理装置２は、ＣＰＵ２１からの指令により画像の読み取りを継続（再開）する。読み取られた画像データは、Ｓ８１０で拡張された記憶領域に順次記憶させていく。その際、記憶部３２や外部記憶部３６には、画像の読取の再開後に読み取られた画像データのみを記憶すればよい。Ｓ８２０の手順とＣＰＵ２１とが指令手段を構成する。Ｓ８２０における画像の読取りを継続（再開）の指令は、ＣＰＵ２１が自動的に指令してもよく、ユーザが操作パネル２３を用いて指令してもよい。
【００５２】
次にＳ８３０で画像の読取が終了したかどうかが判断される。画像の読取が終了していない場合（Ｓ８３０：ＮＯ）はＳ８４０へ進む。Ｓ８４０では記憶領域不足が再び発生したかどうかが判断される。記憶領域不足が発生していない場合（Ｓ８４０：ＮＯ）は再びＳ８２０へ戻り画像の読取を継続する。記憶領域不足が再び発生した場合（Ｓ８４０：ＹＥＳ）はＳ８５０へ進む。Ｓ８５０では記憶領域数が許容範囲内であるかどうかが判断される。記憶領域数が許容範囲内である場合（Ｓ８５０：ＹＥＳ）はＳ８６０へ進む。
【００５３】
Ｓ８６０では記憶領域を再追加する。具体的にはＳ８６０では、記憶部３２、あるいは外部記憶部３６の一部を新たに画像の記憶のための記憶領域としてＣＰＵ３１が割り当てる。新たに割り当てる記憶容量は、例えばＣＰＵ３１が自動的に決定するか、ユーザが入力部３５によって入力するとすればよい。
【００５４】
Ｓ８６０を実行した後は再びＳ８２０に戻って画像の読取を継続する。このように本実施例では、再度記憶領域不足が発生した場合、領域数の追加が許容範囲内である限り再度コンピュータ３から接続して記憶領域の拡張を可能としているので、可能な限りメモリ不足の解消が図れる。
【００５５】
画像の読取が終了した場合（Ｓ８３０：ＹＥＳ）はＳ８８０へ進む。図４には、画像の読み込みの完了を受けて、画像読取装置２が必要な画像処理を実行して（Ｓ８８０）、その後Ｅ−ｍａｉｌやＦａｘ（Ｉ−Ｆａｘ）など可能な通信手段で画像を目的の宛先に送信する（Ｓ８９０）場合の処理例が示されている。
【００５６】
記憶領域数が許容範囲を越えた場合（Ｓ８５０：ＮＯ）はＳ８７０へ進む。Ｓ８７０では画像の読取がエラーに終ったことをユーザに報知する。この報知はエラー通知部２６によって行えばよい。以上が図４の処理手順である。
【００５７】
なお本実施形態において、画像読取システム１がコンピュータ３を複数備えるとしてもよい。この場合、図２のＳ８０でメモリ不足が発生したら、図２のＳ３０からＳ８０の処理が実行される。この際にＳ６０で接続方法が選択され、Ｓ７０で接続待ちとなる対象は当然新たに接続されるコンピュータ３である。
【００５８】
なお上記実施形態で、コンピュータ３をもうひとつの画像読取装置２に変更してもよい。またコンピュータ３をコンピュータに限らない情報処理装置に変更してもよい。
【図面の簡単な説明】
【００５９】
【図１】本発明の実施形態における画像読取システムの構成図。
【図２】画像読取装置側の処理手順を示すフローチャート。
【図３】コンピュータ側の処理手順を示すフローチャート。
【図４】画像読取装置側の詳細な処理手順を示すフローチャート。
【符号の説明】
【００６０】
１    画像読取システム
２    画像読取装置
３    コンピュータ（外部装置）
２１    ＣＰＵ
２２    記憶部（第１記憶部）
２３    操作パネル（入力部）
２４    スキャン部（画像読取部）
２６    エラー通知部（報知部）
２７    インターフェース（接続部）
３１    ＣＰＵ
３２    記憶部（第２記憶部）
３６    外部記憶部
【図１】
2010147547.tif 000003
【図２】
2010147547.tif 000004
【図３】
2010147547.tif 000005
【図４】
2010147547.tif 000006